(57)【要約】      （修正有）【課題】  トラック、普通自動車などのエンジンに軽油、ガソリンをつかわず、天然ガス（ＣＮＧ）（ＬＰＧ）、電気、電池モーター、太陽光発電モーターを使用したエンジンとテコ棒をつかい排気ガスを出さず無公害にした、テコ棒エンジンを提供する。【解決手段】  テコ棒エンジン１にピストン２、クランクシヤフト３をつけてテコ棒エンジン１を動かすためにあきスペースに天然ガス（ＣＮＧ）（ＬＰＧ）、電気、電池モーター、太陽光発電モーターなどのエンジン１３を動かし、主発電モーター４を回し、円形棒ウケ回転棒７も同時に回し、テコ棒上下回し棒９を回転させて、テコ棒６を上下運動させ、ピストン２を上下運動させて、テコ棒エンジン１側のクランクシャフト３を回して動力棒１４を回しトラック普通自動車をうごかす。【選択図】  図２
2006329176.tif 000002
【特許請求の範囲】
【請求項１】
イ）テコ棒エンジン（１）に、ピストン（２）、クランクシヤフト（３）を設ける。ロ）テコ棒エンジン（１）と車体のあきスペースに天然ガス（ＣＨＲ）電気モーターエンジン（１３）などの主発電モーター（１４）を設けつなぎコード線（１０）も設ける。ハ）テコ棒エンジン（１）の両側に、円形板電気モーター（４）、円形板（５）、テコ棒回し棒（９）を設ける。ニ）テコ棒エンジン（１）のピストン（２）とテコ棒（６）をつなぎ、固定点（８）をエンジンのフチの左右両側に設ける。ホ）円形棒電気モーター（４）に円形板（５）、テコ棒上下回し棒（９）を円形棒ウケ回転棒（７）にとり付けて回転させ、テコ棒（６）を上下運動させる。ヘ）テコ棒エンジン（１）、円形板電気モーター（４）を固定するために固定板（１１）を前後に設ける。  以上の如く構成された、テコ棒エンジンＩＩ。
【請求項２】
イ）円形板電気モーター（４）、円形板（５）、テコ棒回し棒（９）をテコ棒エンジン（１）の片側に配置した、請求項１のテコ棒エンジンＩＩ。
【請求項３】
主発電モーター（１４）を動かすエンジンは、天然ガス（ＣＨＧ）、バッテリー、電気モーター、太陽電池などの無公害エンジンを使用する。請求項１のテコ棒エンジンＩＩ。
【発明の詳細な説明】
【産業上の利用分野】
【０００１】この発明は、すす、ＣＯ２などの公害問題になっているディゼルエンジン、ガソリンエンジンなどのトラック、普通自動のエンジンを無公害の天然ガス（ＣＮＧ）、電気、バッテリー太陽電池などを使用して、テコ棒もつかい無公害なエンジンを作ろうとする、テコ棒エンジンＩＩに関するものである。〔従来の技術〕
【０００２】イ）従来の燃料をガソリン、軽油で動かしている、デイゼルエンジン、は、すす、ＣＯ２などの排気ガスを出していて公害のもとでした。ロ）従来のＬＰＧガス、天然ガス（ＣＮＧ）エンジンの無公害バス、タクシーなどがありますがちからがなく、コストも高いです。ハ）従来、普通自動車は、燃料電池エンジンが無公害ですが、コストがすごく高くて、又、ガソリン、電気エンジンを両用したハイブリットカーもコストが高いです。〔発明が解決しようとする課題〕
【０００３】したがってその欠点を除いて、ＬＰＧ、ＣＮＧの天然ガスエンジンとテコ棒を使用して無公害のトラックのディゼルエンジンと、普通車のガソリンエンジンを開発しようとするものである。〔課題を解決するための手段〕
【０００４】いま、その解決手段を図面に追いながら説明すれば、イ）テコ棒エンジン（１）にピストン（２）、クランクシヤフト（３）を名棒でつなげ自由ジョイントにし、天然ガス（ＣＮＧ）（ＬＰＧ）電気モーターエンジン（１３）を動かして主発電モーター（１４）から、つなぎコード線（１０）で円形電気モーター（４）に電気をおくり回転させて、円形棒ウケ回転棒（７）も同時に回してテコ棒（６）を上下運動させて、円形板（５）を回しテコ棒上下回し棒（９）で上下運動させて、テコ棒エンジン（１）の両側に固定点（８）を設けて、ピストン（２）をテコ棒（６）で上下運動させて、クランクシヤフト（３）を回転させて、動力棒（１２）でうごかしデイゼル、ガソリンエンジンのかわりにする。ロ）テコ棒上下回し棒（９）には鉄と鉄がすれたりぶつかって音がでないように強力ゴムでカバーする。ハ）全体をかためるために、固定板（１１）を前後に設ける。ニ）テコ棒（６）：円形板（５）をコンパクトに片側に設けた請求項２のテコ棒エンジンＩＩ。〔作用〕
【０００５】次に本発明は、以上のような構造であるから、各テコ棒は超合金を使用し接合部は自由ジョイントとする。〔実施例〕
【０００６】  本発明の実施に当って、次の如きことができる。イ）無公害の天然ガス（ＣＮＧ）（ＬＰＧ）、電気モーター、太陽発電などのモーターで、テコ棒を動かしピストンを上下運動させて、クランクシャフトを回して動力を作るので、テコ棒エンジンの作りが、かんたんになる。ロ）排気ガスの、すす、ＣＯ２が出ず、又、パワーも出ると思ます。〔発明の効果〕
【０００７】したがって、むずかしい部品もはぶけ、従来のエンジン構造を使用できるのでコストもローコストになり、排気ガスのすす、ＣＯ２も出ず無公害エンジンが出きます。
【図面の簡単な説明】
【図１】図１本発明の上面図
【図２】図２本発明の前面図
【図３】図３本発明の側面図
【図４】図４本発明の片側上前図
【符号の説明】
１はテコ棒エンジン２はピストン３はクランクシヤフト４は円形板電気モーター５は円形板６はテコ棒７は円形棒ウケ回転棒８は固定点９はテコ棒上下回し棒１０はつなぎコード線１１は固定板１２は動力棒１３は天然ガス（ＣＮＧ）（ＬＰＧ）、電気、太陽発電モーターエンジン１４は主発電モーター
【図１】
2006329176.tif 000003
【図２】
2006329176.tif 000004
【図３】
2006329176.tif 000005
【図４】
2006329176.tif 000006
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
イ）テコ棒エンジンＩＩ（１）に、ピストン（２）、クランクシャフト（３）、動力棒（１２）を設ける。
ロ）テコ棒エンジンＩＩ（１）と車体のあきスペースに天然ガス（ＣＮＧ、）エンジン（１３）、主発電モーター（１４）を設けつなぎコード線（１０）も設ける。
ハ）テコ棒エンジンＩＩ（１）の両側に円形板電気モーター（４）、円形板（５）、テコ棒回し棒（９）を設ける。
ニ）テコ棒エンジンＩＩ（１）のピストン（２）とテコ棒（６）をつなぎ、固定点（８）をエンジンのフチの左右両側に設ける。
ホ）円形板電気モーター（４）の円形棒ウケ回転棒（７）に円形板（５）、テコ棒上下回し棒（９）をとり付けて回転させ、テコ棒（６）を上下運動させるよう設ける。
ヘ）テコ棒エンジンＩＩ（１）、円形板電気モーター（４）を固定するために固定板（１１）を前後に設ける。
以上の如く構成されたテコ棒エンジンＩＩ。
【請求項２】
イ）円形板電気モーター（４）、円形板（５）、テコ棒回し棒（９）を、テコ棒エンジンＩＩ（１）の片側に配置するよう設ける。
以上の如く構成された請求項１のテコ棒エンジンＩＩ。
【請求項３】
主発電モーター（１４）を動かすエンジンは、天然ガス（ＣＮＧ）エンジン（１３）の無公害エンジンを使用するよう設ける。
以上の如く構成された請求項１のテコ棒エンジンＩＩ。
【手続補正２】
【補正対象書類名】明細書
【補正対象項目名】０００４
【補正方法】変更
【補正の内容】
【０００４】いま、その解決手段を図面に追いながら説明すれば、
イ）テコ棒エンジンＩＩ（１）にピストン（２）、クランクシャフト（３）各棒でつなげ自由ジョイントにし、天然ガス（ＣＮＧ）エンジン（１３）を動かして主発電モーター（１４）から、つなぎコード線（１０）で円形板電気モーター（４）に電気をおくり回転させて円形棒ウケ回転棒（７）も同時に回して、円形板（５）を回しテコ棒上下回し棒（９）で、テコ棒（６）を下部からすくい上げて上部ではなれて下におちて上下運動にかえてテコ棒エンジンＩＩ（１）の両側に固定点（８）を設けてピストン（２）をテコ棒（６）で上下運動させてクランクシャフト（３）を回転させて動力棒（１２）でエンジンを動かして、デイゼル、ガソリンエンジンのかわりにする。
ロ）テコ棒上下回し棒（９）には鉄と鉄がすれたりぶつかって音がでないように強力ゴムでカバーする。
ハ）全体をかためるために固定板（１１）を前後に設ける。
ニ）テコ棒（６）、円形板（５）をコンパクトに片側に設けた請求項２のテコ棒エンジンＩＩ。
〔図面の簡単な説明〕
〔符号の説明〕
１３  天然ガス（ＣＮＧ）エンジン